(57)【要約】      （修正有）【課題】車両用表示装置の誤操作を低減する。【解決手段】車両用表示装置Ｍは、車両情報を表示するディスプレイ４と、操作スイッチ５と、操作スイッチ５からの信号に基づいて複数の機能を選択的に実行するコントローラ６と、を備えている。コントローラ６は、操作スイッチ５が操作開始されると、操作スイッチ５が操作開始されてから経過した操作時間をディスプレイ４に表示させる。操作時間の点灯状態によって、第１操作〜〜第３操作のいずれの操作がコントローラ６に入力されるかが直観的に表示される。これにより、操作者は実行される機能の予測や確認ができるため、誤操作を低減できる。【選択図】図１
2020131926.tif 000002
【特許請求の範囲】
【請求項１】
車両情報を表示するディスプレイ（４）と、
操作スイッチ（５）と、
前記操作スイッチ（５）からの信号に基づいて複数の機能を選択的に実行するコントローラ（６）と、を備え、
前記コントローラ（６）は、前記操作スイッチ（５）が操作開始されると、前記操作スイッチ（５）が操作開始されてから経過した操作時間（４５２，４５３，４５４）を前記ディスプレイ（４）に表示させる
ことを特徴とする車両用表示装置（Ｍ）。
【請求項２】
前記コントローラ（６）は、前記複数の機能の切り替わり時間を表す閾指標（４５１）を前記操作時間（４５２，４５３，４５４）と対比して前記ディスプレイ（４）に表示させる、
請求項１の車両用表示装置（Ｍ）。
【請求項３】
前記コントローラ（６）は、前記ディスプレイ（４）に表示されていた車両情報の指標（４４２）を前記閾指標（４５１）の表示とし、前記車両情報の指標（４４２）と対比して表示されていた車両情報（４４５）を前記操作時間（４５２，４５３，４５４）の表示に切り替えて、前記ディスプレイに表示させる、
請求項２の車両用表示装置（Ｍ）。
【発明の詳細な説明】
【技術分野】
【０００１】
本開示は、スイッチの操作時間に応じて異なる機能を実行する車両用表示装置に関する。
【背景技術】
【０００２】
従来の車両用表示装置として特許文献１に開示されたものがある。この車両用表示装置は、スイッチの操作時間が所定時間より長い場合は表示項目の値を初期化する機能を実行し、それ以外の場合は表示項目を切り替える機能を実行する。
【先行技術文献】
【特許文献】
【０００３】
【特許文献１】特開２００９−８３８０８号公報
【発明の概要】
【発明が解決しようとする課題】
【０００４】
しかしながら、現在のスイッチの操作時間が所定時間より長い操作なのか否かの指標が操作者に提供されないため、操作者は実行される機能の予測や確認ができず、誤操作を招く可能性がある。
【０００５】
本開示は、車両用表示装置の誤操作を低減することを目的とする。
【課題を解決するための手段】
【０００６】
本開示の車両用表示装置（Ｍ）は、
車両情報を表示するディスプレイ（４）と、
操作スイッチ（５）と、
前記操作スイッチ（５）からの信号に基づいて複数の機能を選択的に実行するコントローラ（６）と、を備え、
前記コントローラ（６）は、前記操作スイッチ（５）が操作開始されると、前記操作スイッチ（５）が操作開始されてから経過した操作時間（４５２，４５３，４５４）を前記ディスプレイ（４）に表示させる。
【発明の効果】
【０００７】
本開示によれば、車両用表示装置において誤操作を低減できる。
【図面の簡単な説明】
【０００８】
【図１】車両用表示装置の構成概略図。
【図２】ディスプレイに表示される車両情報を説明する図。
【図３】操作スイッチの操作時間に応じて実行される機能を説明する図。
【図４】操作スイッチが操作されたときの操作時間の表示手続を説明するアクティビティ図。
【図５】操作スイッチが操作されたときの操作時間及び閾指標の表示例を示す図。
【図６】操作時間が閾値Ｔｈ１未満のときの表示例を示す図。
【図７】操作時間が閾値Ｔｈ１以上且つ閾値Ｔｈ２未満のときの表示例を示す図。
【図８】操作時間が閾値Ｔｈ２以上のときの表示例を示す図。
【図９】操作スイッチが操作されたときの操作時間及び閾指標の表示変形例を示す図。
【発明を実施するための形態】
【０００９】
添付図面を参照して車両用表示装置Ｍを説明する。
【００１０】
図１を参照する。車両用表示装置Ｍは、機械式指示計器１，２と、警告灯３と、ディスプレイ４と、操作スイッチ５と、コントローラ６を備えている。
【００１１】
機械式指示計器１，２は、文字や目盛が形成された指標文字板と、この指標文字板を指し示す指針と、から構成される。機械式指示計器１，２は、指標文字板と指針を対比させることで車両情報を表示する。機械式指示計器１は、車両のエンジン回転数を表示するエンジン回転数表示部である。機械式指示計器２は、車両の走行速度を表示する車速表示部である。
【００１２】
警告灯３は、所定の警告を表す意匠が形成された警告意匠文字板と、この警告意匠文字板を背面から照らす光源と、から構成される。警告灯３は、光源を点灯あるいは点滅させることにより所定の警告が生じていることを表示する警告表示部である。
【００１３】
ディスプレイ４は、セグメント液晶ディスプレイである。ディスプレイ４は、セグメントＳｇを用いて各種の車両情報を表示する。ディスプレイ４に表示される車両情報は後述する。
【００１４】
操作スイッチ５は、プッシュスイッチである。
【００１５】
コントローラ６は、ＣＰＵと、ＲＡＭと、ＲＯＭを備えたマイクロコントローラである。コントローラ６は、車両の各種センサや、エンジンユニットやドアなどを制御する各種ＥＣＵから、各種の車両情報を取得する。各種の車両情報は、例えば、車両のエンジン回転数や車両の走行速度、ギアポジション、航続可能距離、残燃料量、シートベルト警告やエンジン警告などの車両の機能にエラーが生じたことを表す警告である。コントローラ６は、機械式指示計器１，２、警告灯３、ディスプレイ４に各種の車両情報を表示させる。
【００１６】
コントローラ６は、操作スイッチ５が操作された操作時間（押下開始から押下終了されるまでの経過時間）によって、第１操作Ｔｒ１，第２操作Ｔｒ２，第３操作Ｔｒ３のいずれかが操作されたと判断する。具体的には、操作スイッチ５が操作された操作時間が第１閾値Ｔｈ１未満のときは、コントローラ６は第１操作Ｔｒ１が操作スイッチ５から入力されたと判断する。操作スイッチ５が操作された操作時間が第１閾値Ｔｈ１以上第２閾値Ｔｈ２未満のときは、コントローラ６は第２操作Ｔｒ２が操作スイッチ５から入力されたと判断する。操作スイッチ５が操作された操作時間が第２閾値Ｔｈ２以上のときは、コントローラ６は第３操作Ｔｈ３が操作スイッチ５から入力されたと判断する。第１閾値Ｔｈ１は、例えば１．２秒である。第２閾値Ｔｈ２は、例えば３秒である。
【００１７】
コントローラ６は、操作スイッチ５の操作により、ディスプレイ４に表示された車両情報を切り替える機能と、ディスプレイ４に表示された車両情報の値を初期化する機能を選択的に実行する。操作スイッチ５の操作により実行される各種機能は、後述する。
【００１８】
図２を参照してディスプレイ４に表示される各種車両情報を説明する。ディスプレイ４は、セグメントＳｇを消灯させた非表示セグメントＳｇＡと、セグメントＳｇを点灯させた表示セグメントＳｇＢを組み合わせて所定の車両情報を表示する。ディスプレイ４は、現在の時刻を表示する時刻表示部４１と、ギアポジションを表示するギアポジション表示部４２と、車両情報を切り替えて表示するマルチ表示部４３と、残燃料量を表示する残燃料表示部４４と、を備える。マルチ表示部４３は、表示モードを表示する表示モード表示部４３ａと、選択された表示モードに対応する車両情報を数値で表示する数値表示部４３ｂと、で構成される。
【００１９】
図３を参照する。コントローラ６は、操作スイッチ５の操作によって、マルチ表示部４３の表示を切り替えて表示する。マルチ表示部４３は、車両の総走行距離を表示する第１表示モード４Ａと、車両の航続可能距離を表示する第２表示モード４Ｂと、第１区間における積算距離を表示する第３表示モード４Ｃと、第２区間における積算距離を表示する第４表示モード４Ｄのいずれかを表示する。コントローラ６は、第１操作Ｔｒ１が操作スイッチ５から入力されると、次の表示モードに表示を切り替える。コントローラ６は、第２操作Ｔｒ２が操作スイッチ５から入力されると、前の表示モードに表示を切り替える。また、コントローラ６は、マルチ表示部４３が第３表示モード４Ｃあるいは第４表示モード４Ｃのときに、第３操作Ｔｈ３が操作スイッチ５から入力されると、表示モードに対応する区間の積算距離を初期化（リセット）する。
【００２０】
図４〜図８を参照する。コントローラ６は、操作スイッチ５が操作されている間（操作スイッチ５が押下開始されてから押下終了されるまでの間）、残燃料を表示する残燃料表示モード４４Ａから操作時間を表示する操作時間表示モード４４Ｂへと切り替えて、残燃料表示部４４に操作時間を表示させる。
【００２１】
図５に示すように、残燃料表示モード４４Ａは、残燃料表示部４４が表示している車両情報が残燃料であることを表す残燃料マーク４４１と、残燃料量の指標を表す残燃料指標４４２と、残燃料指標４４２が表す指標の左端側が空であることを表すＥｍｐｔｙマーク４４３と、残燃料指標４４２が表す指標の右端側が満タンであることを表すＦｕｌｌマーク４４４と、残燃料量を表す残燃料量４４５と、から構成される。
【００２２】
図５に示すように、操作時間表示モード４４Ｂは、操作時間の指標を表す閾指標４５１と、操作時間を表す操作時間４５２，４５３，４５４と、から構成される。閾指標４５１は、残燃料指標４４２を用いたもので、Ｅｍｐｔｙマーク４４３に最も近い目盛が原点を表し、Ｆｕｌｌマーク４４４に最も近い目盛が第２閾値Ｔｈ２を表し、中央の目盛が第１閾値Ｔｈ１を表す。操作時間４５２は、閾指標４５１の原点と第１閾値Ｔｈ１を表す目盛の間に位置する残燃料量４４５のセグメントで構成される。操作時間４５３は、閾指標４５１の第１閾値Ｔｈ１と第２閾値Ｔｈ２を表す目盛の間に位置する残燃料量４４５のセグメントで構成される。操作時間４５４は、閾指標４５１の第２閾値Ｔｈ２を表す目盛よりも右側（原点を表す目盛とは逆側）に位置するＦｕｌｌマーク４４４で構成される。また、操作時間表示モード４４Ｂが表示されている間は、残燃料マーク４４１及びＥｍｐｔｙマーク４４３は消灯して非表示となる。
【００２３】
図４を参照して残燃料表示モード４４Ａと操作時間表示モード４４Ｂの表示の切り替え手順を説明する。
【００２４】
コントローラ６は、車両のイグニッションスイッチがオンして車両用表示装置Ｍが起動すると、手続きＰ１を実行する。手続きＰ１において、コントローラ６は残燃料表示部４４に残燃料表示モード４４Ａを表示させる。
【００２５】
コントローラ６は、残燃料表示部４４に残燃料表示モード４４Ａを表示させているときに、操作スイッチ５が操作開始（操作スイッチ５が押下が開始）されたことを検出すると、残燃料表示部４４に操作時間表示モード４４Ｂを表示させるべく、手続きＰ２を実行する。手続きＰ２において、図６に示すように、コントローラ６は、操作スイッチ５が押下されてから経過した時間が増えるのに従って、操作時間４５２の点灯セグメントの数を増大させる。
【００２６】
コントローラ６は、手続きＰ２を実行中に、操作スイッチ５が押下されてから経過した時間が第１閾値Ｔｈ１以上となると、手続きＰ３を実行する。手続きＰ３において、図７に示すように、コントローラ６は、操作スイッチ５が押下されてから経過した時間が増えるのに従って、操作時間４５３の点灯セグメントの数を増大させる。
【００２７】
コントローラ６は、手続きＰ３を実行中に、操作スイッチ５が押下されてから経過した時間が第２閾値Ｔｈ２以上となると、手続きＰ４を実行する。手続きＰ４において、図８に示すように、コントローラ６は、操作時間４５２，４５３，４５４のセグメントをすべて点灯させる。
【００２８】
また、コントローラ６は、手続きＰ２〜Ｐ３を実行中に、操作スイッチ５の操作終了（操作スイッチ５の押下が終了）されたことを検出すると、手続きＰ１を実行する。
【００２９】
以上が残燃料表示モード４４Ａと操作時間表示モード４４Ｂの表示の切り替え手順である。
【００３０】
以上のように、操作時間４５２，４５３，４５４のセグメントの点灯状態によって、第１操作Ｔｈ１〜第３操作Ｔｈ３のいずれの操作がコントローラ６に入力されるかが直観的に表示される。これにより、操作者は実行される機能の予測や確認ができるため、誤操作を低減できる。
【００３１】
本開示の車両用表示装置Ｍは以下の変更をしてもよい。
【００３２】
具体的には、操作時間４５２，４５３，４５４及び閾指標４５１は、種々のバーグラフと指標で表示するものであってもよい。また、操作時間４５２，４５３，４５４及び閾指標４５１を数値で表示してもよい。
【００３３】
また、各手続きＰ１〜Ｐ４の切り替えの際に、特定の表示部（例えば、Ｅｍｐｔｙマーク４４３）が点灯あるいは点滅するように構成してもよい。このように構成した場合、操作スイッチ５の操作が開始されたタイミングや、第１操作Ｔｈ１〜第３操作Ｔｈ３の各種操作の切り替わりのタイミングが直観的に表示されるため、操作者は実行される機能の予測や確認がより容易になる。
【００３４】
また、手続きＰ２〜Ｐ４を実行している間、操作スイッチ５が押下されてから経過した時間の他に、第１操作Ｔｈ１〜第３操作Ｔｈ３のいずれの操作がコントローラ６に入力される状態であるかを特定の表示部の変化によって表示してもよい。具体的には、表示モード表示部４３ａのセグメントの点灯位置や、数値表示部４３ｂに数字や文字を表示して、第１操作Ｔｈ１〜第３操作Ｔｈ３のいずれの操作であるか識別できるように表示してもよい。
【００３５】
また、本開示の車両用表示装置Ｍにおける操作スイッチ５の操作時間の表示は、マルチ表示部４３の数値表示部４３ｂで行うものとしてもよい。具体的には、図９に示すように、手続きＰ１においては車両情報表示４３ｂＡを表示させ、手続きＰ２においては操作時間表示４３ｂＢ１を表示させ、手続きＰ３においては操作時間表示４３ｂＢ２を表示させ、手続きＰ４においては操作時間表示４３ｂＢ３を表示させる。
【００３６】
また、本開示の車両用表示装置Ｍにおいては、ディスプレイ４をセグメント液晶ディスプレイとしたが、格子状に画素が整列した液晶ディスプレイや有機ＥＬディスプレイで構成してもよい。
【符号の説明】
【００３７】
Ｍ    …車両用表示装置
４    …ディスプレイ
４４  …残燃料表示部（車両情報表示部）
４４１…残燃料マーク
４４２…残燃料指標
４４３…Ｅｍｐｔｙマーク
４４４…Ｆｕｌｌマーク
４４５…残燃料量
４５１…閾指標
４５２…操作時間
４５３…操作時間
４５４…操作時間
５    …操作スイッチ
６    …コントローラ
【図１】
2020131926.tif 000003
【図２】
2020131926.tif 000004
【図３】
2020131926.tif 000005
【図４】
2020131926.tif 000006
【図５】
2020131926.tif 000007
【図６】
2020131926.tif 000008
【図７】
2020131926.tif 000009
【図８】
2020131926.tif 000010
【図９】
2020131926.tif 000011